(57)【要約】【課題】簡単かつ短時間で３Ｄ効果を有する画像物の作製が可能で、低コスト化も図れる３Ｄ画像物およびその製造方法を提供する。【解決手段】あらかじめ裏面に背景画像の印刷層１１ａが３Ｄ製版されたレンチキュラーレンズ１１を準備し、その後、レンチキュラーレンズ１１の裏面に、両面テープ１１ｃを介して、写真画像側の面を向けて写真シート１２を貼着する。これにより、既存の写真を基に、簡単かつ短時間で３Ｄ効果を有する３Ｄ画像物１０を作製することができる。しかも、３Ｄ画像物１０のコスト低下も図れる。【選択図】        図１
2004246033.tif 000002
【特許請求の範囲】
【請求項１】
断面が連続した凹凸形状を有し、表面および／または裏面に３Ｄ製版により所定の背景が印刷された透明なレンチキュラーレンズと、
該レンチキュラーレンズの裏面に、写真画像側の面を向けて貼着される写真シートとを備えた３Ｄ画像物。
【請求項２】
上記写真画像が、３Ｄ製版による印刷画像である請求項１に記載の３Ｄ画像物。
【請求項３】
上記写真画像が、自動写真撮影機により撮影された２次元画像である請求項１または請求項２に記載の３Ｄ画像物。
【請求項４】
あらかじめ表面およびまたは裏面に、３Ｄ製版により所定の背景が印刷された透明なレンチキュラーレンズを準備するレンズ準備工程と、
該背景が印刷されたレンチキュラーレンズに、該レンチキュラーレンズの裏面に写真画像側の面を向けて写真シートを貼着する写真貼着工程とを備えた３Ｄ画像物の製造方法。
【請求項５】
上記写真画像が、３Ｄ製版による印刷画像である請求項４に記載の３Ｄ画像物の製造方法。
【請求項６】
上記写真画像が、自動写真撮影機により撮影された２次元画像である請求項４または請求項５に記載の３Ｄ画像物の製造方法。
【発明の詳細な説明】
【０００１】
【発明の属する技術分野】
本発明は、短時間で簡単に作製が可能で、低コスト化も図れる３Ｄ画像物およびその製造方法に関する。
【０００２】
【従来の技術】
従来、透明シートに立体感を感じさせる写真印刷が施された３Ｄ画像物として、例えば特許文献１のようなものが知られている。
従来の３Ｄ画像物は、あらかじめ複数の写真画像をコンピュータ処理により縦方向または横方向に多数の線状帯に分け、これらの異なる写真画像の線状帯を順に並べて１枚の写真シートに印刷し、その上に線状帯のピッチと方向を合わせたかまぼこ状の微細レンズの集合体からなる透明なレンチキュラーレンズを貼り付け、レンチキュラーレンズのレンズ作用により、複数の画像を重ね合わせることで、普通の視覚距離で結合して見せ、画面に立体感を現出したり、画面を傾けることで画像に変化を与えられるカードである。
【０００３】
【特許文献１】
特開平８−２３４３３５号（第１頁、図１）
【０００４】
しかしながら、従来の３Ｄ画像物では、撮影した写真から３Ｄ画像物を作製する場合、あらかじめ写真画像をコンピュータ処理して３Ｄ製版する必要があった。そのため、３Ｄ画像物の作製に時間と手間がかかり、コスト高にもなっていた。
【０００５】
【発明が解決しようとする課題】
この発明は、簡単かつ短時間で３Ｄ効果を有する画像物の作製が可能で、低コスト化も図れる３Ｄ画像物およびその製造方法を提供することを、その目的としている。
また、この発明は、カード全域で３Ｄ効果を有する画像を楽しむことができる３Ｄ画像物およびその製造方法を提供することを、その目的としている。
さらに、この発明は、自動写真撮影機の利用者が、撮影された写真から簡単に３Ｄ画像物を作製することができる３Ｄ画像物およびその製造方法を提供することを、その目的としている。
【０００６】
【課題を解決するための手段】
請求項１に記載の発明は、断面が連続した凹凸形状を有し、表面および／または裏面に３Ｄ製版により所定の背景が印刷された透明なレンチキュラーレンズと、該レンチキュラーレンズの裏面に、写真画像側の面を向けて貼着される写真シートとを備えた３Ｄ画像物である。
本発明において、３Ｄ画像物とは、カード、カレンダー、グラフなど、あらゆる写真シートを備えたものである。
凹凸形状は、連続したかまぼこ形状でもよいし、連続した断面矩形状でもよい。
背景が印刷されるのは、レンチキュラーレンズの表面でもよいし、裏面でもよい。または、レンチキュラーレンズの表裏両面でもよい。
背景は、写真画像でもよいし、他の印刷物または各種の模様などでもよい。
３Ｄ製版とは、あらかじめ複数の写真画像をコンピュータ処理により縦方向または横方向に多数の線状帯に分け、これらの異なる写真画像の線状帯を順に並べて１枚の写真シートに印刷する製版方法である。
【０００７】
レンチキュラーレンズとは、この線状帯のピッチと方向を合わせた凹凸形状を有する微細レンズの集合体かなる透明なレンズである。
写真シートの種類は限定されない。例えば、市販の写真機により撮影された写真を印画したシートなどを採用することができる。
貼着方法としては、透明な接着剤による接着を採用することができる。例えば、レンチキュラーレンズとして、あらかじめレンズ裏面に両面テープが貼着されたものを採用してもよい。または、レンチキュラーレンズの裏面に接着層を形成し、その露出面に剥離紙が剥離可能に貼着されたものでもよい。
【０００８】
請求項２に記載の発明は、上記写真画像が、３Ｄ製版による印刷画像である請求項１に記載の３Ｄ画像物である。
【０００９】
請求項３に記載の発明は、上記写真画像が、自動写真撮影機により撮影された２次元画像である請求項１または請求項２に記載の３Ｄ画像物である。
自動写真撮影機の種類は限定されない。例えば、数分間で証明写真などが撮れるスピード写真機、裏面に両面テープが貼着されたプリクラ（商標登録名）などの簡易写真装置などを採用することができる。
【００１０】
請求項４に記載の発明は、あらかじめ表面およびまたは裏面に、３Ｄ製版により所定の背景が印刷された透明なレンチキュラーレンズを準備するレンズ準備工程と、該背景が印刷されたレンチキュラーレンズに、該レンチキュラーレンズの裏面に写真画像側の面を向けて写真シートを貼着する写真貼着工程とを備えた３Ｄ画像物の製造方法である。
【００１１】
請求項５に記載の発明は、上記写真画像が、３Ｄ製版による印刷画像である請求項４に記載の３Ｄ画像物の製造方法である。
【００１２】
請求項６に記載の発明は、上記写真画像が、自動写真撮影機により撮影された２次元画像である請求項４または請求項５に記載の３Ｄ画像物の製造方法である。
【００１３】
【発明の実施の形態】
この発明によれば、レンチキュラーレンズを通して写真シートの写真画像を見れば、あらかじめ準備された３Ｄ効果を有する背景画像の中、または、背景画像を通して、写真シートの写真画像が見える。
すなわち、あらかじめ背景画像が３Ｄ製版されたレンチキュラーレンズを準備し、その後、レンチキュラーレンズの裏面に、写真画像側の面を貼り合わせ面として写真シートを貼着し、３Ｄ画像物を作製する。このように両シートの貼り合わせ作業を行うだけで、簡単かつ短時間で既存の写真シートを３Ｄ効果を有する画像物に変更することができる。しかも、例えば背景画像を有するレンチキュラーレンズを安価な大量生産で製造しておけば、３Ｄ画像物のコスト低下も図れる。
【００１４】
特に、請求項２および請求項５に記載の発明によれば、写真画像が３Ｄ製版による印刷画像であるので、カードの全域で３Ｄ効果を有する画像を楽しむことができる。
【００１５】
また、請求項３および請求項６に記載の発明によれば、写真画像が自動写真撮影機により撮影された２次元画像であるので、自動写真撮影機の利用者は、撮影して得られた写真シートを簡単に３Ｄ画像物とすることができる。
【００１６】
【実施例】
以下、この発明の実施例を図面を参照して説明する。
図１および図２において、１０はこの発明の一実施例に係る３Ｄ画像物で、この３Ｄ画像物１０は、断面が連続した凹凸形状を有し、裏面に３Ｄ製版により、所定の背景の印刷層１１ａが形成された透明なレンチキュラーレンズ１１と、レンチキュラーレンズ１１の裏面に、写真画像側の面を向けて貼着される写真シート１２とを備えている。
【００１７】
レンチキュラーレンズ１１は、ハガキサイズの矩形状を有したプラスチックシートで、表面全域に上記凹凸１１ｂが形成されている。プラスチックとしては、例えば塩化ビニル樹脂、アクリル樹脂、ポリエステル、ポリプロピレンなどが採用される。レンチキュラーレンズ１１の裏面への印刷層１１ａの形成は、まず図示しない透明な転写用フィルムの表面にコンピュータを使用した３Ｄ製版により背景を印刷し、その後、この印刷層１１ａをレンチキュラーレンズ１１の裏面に転写することで行われる。
レンチキュラーレンズ１１の裏面全域には、この印刷層１１ａを介して両面テープ１１ｃが貼着されている。
背景画像は、船と建物と夕焼け空とが混在した合成写真の画像である。レンチキュラーレンズ１１の中央部には、大きなハート形状を有する白抜き部分１１ｄが存在する。
写真シート１２は、図示しないプリクラ（商標登録名）などの簡易写真装置により撮影された人物画像が表面に印刷されている。印刷位置は、写真シートの表面の中央部である。
【００１８】
図２に基づき、３Ｄ画像物１０の製造方法を説明する。
あらかじめ背景画像が３Ｄ製版されたレンチキュラーレンズ１１を準備しておく。
その後、両面テープ１１ｃの裏面から剥離紙を剥がし、レンチキュラーレンズ１１の裏面に、写真画像側の面を向けて写真シート１２を貼着する。これにより、既存の写真シート１２を簡単に３Ｄ画像物１０とすることができる。
このように、あらかじめ背景画像が３Ｄ製版されたレンチキュラーレンズ１１を大量生産しておき、その後、固有の写真シート１２を両面テープ１１ｃを介して貼着するようにすれば、簡単かつ短時間で３Ｄ効果を有する３Ｄ画像物１０を作製することができる。しかも、３Ｄ画像物１０のコスト低下も図れる。
【００１９】
レンチキュラーレンズ１１を通して写真シート１２の写真画像を見ると、あらかじめ準備された３Ｄ効果を有する背景画像の中に、プリクラ（商標登録名）などの簡易写真装置により撮影された写真シート１２の写真画像が見える。これにより、目の錯覚によって白抜き部分１１ｄの中の写真画像も、３Ｄ効果を有するように見える。
また、写真画像がプリクラ（商標登録名）などの簡易写真装置により撮影された２次元画像であるため、この簡易写真装置の利用者は、購入した写真シート１２を簡単に３Ｄ画像物１０に変更することができる。
さらに、写真画像も３Ｄ製版による印刷画像とすれば、３Ｄ画像物をカード全域が３Ｄ効果を有した画像のカードとして、楽しむことができる。
【００２０】
【発明の効果】
この発明によれば、３Ｄ製版により背景が印刷された透明なレンチキュラーレンズと、写真シートとを貼着して３Ｄ画像物を作製するように構成したので、その結果、低コストで、しかも簡単かつ短時間で３Ｄ効果を有する画像物を作製することができる。
【００２１】
特に、請求項２および請求項５に記載の発明によれば、写真画像が３Ｄ製版による印刷画像であるので、カードの全域で３Ｄ効果を有する画像を楽しむことができる。
【００２２】
また、請求項３および請求項６に記載の発明によれば、写真画像が自動写真撮影機により撮影された２次元画像であるので、自動写真撮影機の利用者は、撮影して得られた写真シートを、簡単に３Ｄ画像物に変更することができる。
【図面の簡単な説明】
【図１】この発明の一実施例に係る３Ｄ画像物の正面図である。
【図２】この発明の一実施例に係る３Ｄ画像物の製造方法を示す斜視図である。
【符号の説明】
１０  ３Ｄ画像物
１１ｂ  凹凸
１１  レンチキュラーレンズ
１２  写真シート
【図１】
2004246033.tif 000003
【図２】
2004246033.tif 000004